(57)【要約】【課題】鉄筋を挿入して位置決めを行う挿入位置決め部の可撓性を増やし、その挿入位置決め部の鉄筋挿入時の弾性変形に余裕を持たせ、鉄筋の挿入後の係止部の機能を損うことがなく、しかも鉄筋を設置部に対して直に挿入するだけで、簡便かつ的確な位置決めが可能な、使い勝手の良好な鉄筋位置決め機能付き法枠用型枠を提供する。【解決手段】横筋２，３と縦筋４，５からなる井桁状のセパレータを用いた法枠用型枠１において、横線部ａと該横線部ａの両端部に連設された縦線部ｂ，ｃとからなる略コ字状の鉄筋位置決め用部材８，９を、その横線部ａを介してセパレータを構成する両側の縦筋４，５に固着し、鉄筋位置決め用部材８，９の両側の縦線部ｂ，ｃを変形可能に構成し、それらの鉄筋位置決め用部材８，９の縦線部ｂ，ｃとセパレータの縦筋４，５との間で鉄筋１０〜１３を位置決めする。【選択図】図１
2007092388.tif 000002
【特許請求の範囲】
【請求項１】
横筋と縦筋からなる井桁状のセパレータを用いた法枠用型枠において、横線部と該横線部の両端部に連設された縦線部とからなる略コ字状の鉄筋位置決め用部材を、その横線部を介して前記セパレータを構成する両側の縦筋に固着し、該鉄筋位置決め用部材の両側の縦線部を変形可能に構成し、それらの鉄筋位置決め用部材を構成する両側の縦線部と前記セパレータを構成する両側の縦筋との間で鉄筋を位置決めするように構成したことを特徴とする鉄筋位置決め機能付き法枠用型枠。
【請求項２】
前記鉄筋位置決め用部材を構成する縦線部と前記セパレータを構成する縦筋との間隔を鉄筋の外径より小さく設定し、それらの縦線部と縦筋との間で鉄筋を挟持するように構成したことを特徴とする請求項１に記載の鉄筋位置決め機能付き法枠用型枠。
【請求項３】
前記鉄筋位置決め用部材を構成する縦線部に鉄筋と係止して離脱を防止する係止部を設けたことを特徴とする請求項１又は２に記載の鉄筋位置決め機能付き法枠用型枠。
【発明の詳細な説明】
【技術分野】
【０００１】
本発明は、両側の型枠板を所定間隔に隔てて支持する横筋と縦筋からなる井桁状のセパレータを用いた法枠用型枠に関する。
【背景技術】
【０００２】
この種の横筋と縦筋とから井桁状に形成されたセパレータを用いた法枠用型枠においては、鉄筋の設置作業を簡便化するため、従来から種々の工夫がなされている。例えばセパレータを構成する縦筋と横筋との交点部に鉄筋固定具を装着して鉄筋を支持するものが知られている（特許文献１参照）。しかしながら、この従来技術の場合には、鉄筋固定具の構成が複雑になりコストが嵩むだけでなく、その鉄筋固定具の縦筋と横筋との交点部への装着作業が面倒で手間がかかり、しかもその鉄筋固定具の周囲へのコンクリートの充填がしにくいという問題があった。また、セパレータを構成する縦筋として横筋に固着された対をなす縦筋を用い、それらの対をなす縦筋間に鉄筋を挿入して位置決めするものも知られている（特許文献２参照）。しかしながら、この従来技術の場合には、横筋から上下に突出した鉄筋の挿入位置決め部の長さが短く、その鉄筋の挿入位置決め部の可撓性を大きく設定することは困難であった。したがって、鉄筋に対する係止状態を確実にするため、鉄筋の挿入間隔への係止部の張出し量をあまり大きく設定すると、返って鉄筋の挿入後に挿入位置決め部に塑性変形が残り、的確な係止状態が阻害されたり、場合によっては縦筋と横筋との固着部が破壊されるという問題があった。さらに、セパレータを構成する縦筋自体の先部を横筋に沿って水平方向に折曲げるとともに、更にその先端部を折返して係止部を形成し、該係止部の先端を鉄筋に当接させることにより、鉄筋を横筋と縦筋との交点部へ押圧支持するという位置決め手段も知られている（特許文献３参照）。しかしながら、この従来技術の場合には、横筋からＬ字状に突出した鉄筋の挿入位置決め部の長さが短く、その挿入位置決め部の可撓性を大きくとれないという同様の問題に加えて、鉄筋の挿入部が横筋に沿う方向に向いているため、鉄筋の設置に際しては、鉄筋を真っ直ぐ落し込むだけでは足りず、鉄筋を落し込んだ後に横筋に沿って水平方向へ移動して前記係止部に係止させるという作業が付加されることになる。この鉄筋を横筋に沿って水平方向へ移動しながら各セパレータの係止部に対して当該鉄筋を同時に係止させる作業はそう簡単なものではなく、相当の熟練と手間を要するという問題があった。
【特許文献１】特開２００５−６１０１５号公報
【特許文献２】特開２００４−３２４３８３号公報
【特許文献３】特許第３４９５７２９号公報
【発明の開示】
【発明が解決しようとする課題】
【０００３】
本発明は、以上のような従来の技術的状況に鑑みて開発したもので、鉄筋を挿入して位置決めを行う挿入位置決め部の可撓性を増やし、その挿入位置決め部の鉄筋挿入時の弾性変形に余裕を持たせ、鉄筋の挿入後の前記係止部の機能を損うことがなく、しかも鉄筋を設置部に対して直に挿入するだけで、簡便かつ的確な位置決めが可能な、使い勝手の良好な鉄筋位置決め機能付き法枠用型枠を提供することを目的とする。
【課題を解決するための手段】
【０００４】
前記課題を解決するため、請求項１の発明では、横筋と縦筋からなる井桁状のセパレータを用いた法枠用型枠において、横線部と該横線部の両端部に連設された縦線部とからなる略コ字状の鉄筋位置決め用部材を、その横線部を介して前記セパレータを構成する両側の縦筋に固着し、該鉄筋位置決め用部材の両側の縦線部を変形可能に構成し、それらの鉄筋位置決め用部材を構成する両側の縦線部と前記セパレータを構成する両側の縦筋との間で鉄筋を位置決めするという技術手段を採用した。前記鉄筋位置決め用部材を構成する縦線部と前記セパレータを構成する縦筋との間隔に関しては、鉄筋の外径より大きく設定してもよいが、鉄筋の外径より小さく設定して、それらの縦線部と縦筋との間で鉄筋を挟持するように構成してもよい（請求項２）。また、前記鉄筋位置決め用部材を構成する縦線部に鉄筋と係止して離脱を防止する係止部を設けることも可能である（請求項３）。
【発明の効果】
【０００５】
本発明によれば、次の効果を得ることができる。
（１）鉄筋位置決め用部材を略コ字状に形成し、その横線部を介してセパレータを構成する両側の縦筋に固着するという構成を採用したので、前記鉄筋位置決め用部材を構成する縦線部の長さの設定を通じて、鉄筋の挿入位置決め部の可撓性を必要な大きさに自由に設定することができる。
（２）鉄筋の挿入位置決め部の可撓性が必要な大きさに設定され、鉄筋の挿入に伴う前記挿入位置決め部の塑性変形を解消し得ることから、鉄筋の挿入後において前記係止部が的確に作用し、鉄筋の離脱を確実に防止できる。
（３）鉄筋位置決め用部材を構成する縦線部とセパレータを構成する縦筋との間で鉄筋の位置決めを行うように構成したので、鉄筋の設置に際しては、それらの縦線部と縦筋との間に鉄筋を直に挿入するだけで、簡便かつ的確に鉄筋の位置決めを行うことができる。
（４）鉄筋位置決め用部材の付設によりセパレータが補強されるので、鉄筋設置時の衝撃などの外力に対して強化される。
【発明を実施するための最良の形態】
【０００６】
本発明は、横筋と縦筋からなる井桁状のセパレータを用いた法枠用型枠に広く適用することができる。セパレータとしては、両側の縦筋が平行に設置された形態のものや、多少テーパ状に傾斜した状態に設置された形態のものなど、横筋と縦筋からほぼ井桁状に形成されたセパレータであれば広く適用できる。また、セパレータを構成する横筋と縦筋は、その所期の機能からして、鉄筋を支持しながら両側の型枠板を所定間隔に隔てて立設し得るものであれば、その断面形状や太さなどは問うところではない。因みに、両側に設置される型枠板としては、コンクリートが外部へ多少漏出可能な網状のものなど、適宜の形態が可能である。前記鉄筋位置決め用部材は、横線部と該横線部の両端部に連設された縦線部とから略コ字状に形成されたものであればよい。例えば、横線部の両端部を折曲げて縦線部を一体的に形成したものでもよいし、横線部の両端部に縦線部を溶接したものでもよい。また、鉄筋位置決め用部材を構成する縦線部としては、前記セパレータを構成する縦筋との間において、鉄筋を容易に挿入できる可撓性を有するものであればよく、その断面形状や太さ、あるいは横線部との長さの比などは問うところではない。横線部の両端部の縦線部との接続部を円弧状に形成したり、両側の縦線部を多少テーパ状に傾斜させたものでもよい。因みに、略コ字状に形成された鉄筋位置決め用部材は、全てのセパレータに設ける必要はなく、間に鉄筋位置決め用部材を設けないセパレータを混ぜて配列するようにしてもよい。さらに、上部に鉄筋位置決め用部材を設けたセパレータと下部に鉄筋位置決め用部材を設けたセパレータとを交互に配列することも可能である。
【実施例】
【０００７】
図１〜図３は本発明に係る法枠用型枠の実施例を示したもので、図１は鉄筋を設置する直前の状態を示した縦断面図、図２は鉄筋を設置する際の状態を示した縦断面図、図３は鉄筋の設置後の状態を示した縦断面図である。図中１は法枠用型枠全体を示したものであり、上下の横筋２，３とそれらの横筋２，３との交点部において溶接等により固着された両側の縦筋４，５によって井桁状に形成されたセパレータと、前記横筋２，３の両端部に例えば折りたたみ可能に連結された網状等の型枠板６，７とから構成される。また、図中８，９は上下の鉄筋位置決め用部材であり、図示のようにそれぞれ横線部ａと該横線部ａの両端部に連設された縦線部ｂ，ｃとから略コ字状に構成されている。これらの鉄筋位置決め用部材８，９は、それぞれの横線部ａをセパレータを構成する両側の縦筋４，５に対して水平に渡し、それらの縦筋４，５との交点部において溶接等により固着される。この場合、略コ字状の鉄筋位置決め用部材８，９を採用し、その横線部ａを介して両側の縦筋４，５に固着するという構成を採用したことから、その固着作業においては、鉄筋位置決め用部材８，９を両側の縦筋４，５や横筋２，３に添わせることにより簡便かつ安定的に支持できるので作業性が良好である。そして、それらの鉄筋位置決め用部材８，９の両側の縦線部ｂ，ｃとセパレータを構成する両側の縦筋４，５との間に、各鉄筋１０〜１３の挿入位置決め部が形成されることになる。なお、本実施例では、鉄筋位置決め用部材８，９の両側の縦線部ｂ，ｃの先端部を折返して傾斜状の係止部１４〜１７を形成し、それらの係止部１４〜１７の外部傾斜部により鉄筋１０〜１３の挿入を案内するとともに、各係止部１４〜１７の先端部を鉄筋１０〜１３に当接させることにより、鉄筋１０〜１３の離脱を防止し得るように構成している。
【０００８】
しかして、鉄筋１０〜１３の設置作業においては、図２に示したように鉄筋１０〜１３をそれぞれ対応する鉄筋位置決め用部材８，９を構成する縦線部ｂ，ｃの係止部１４〜１７に対して外側から当接させた状態で、それらの縦線部ｂ，ｃと前記縦筋４，５との間の間隙部に直に押込むことにより、きわめて簡便に位置決めすることができる。その鉄筋１０〜１３の挿入に際しては、鉄筋１０〜１３に作用する押圧力に基づいて係止部１４〜１７の外部傾斜部に作用する分力によって、縦筋４，５との間の間隔が、縦線部ｂ，ｃの弾性変形を伴いながら拡げられ、鉄筋１０〜１３を簡便に挿入することができる。図３はその鉄筋１０〜１３の挿入後の状態を示したものであり、図示のように縦線部ｂ，ｃの弾性復帰力により変形が戻り、係止部１４〜１７の先端部が鉄筋１０〜１３に当接して離脱を防止し、その位置決め状態が的確に保持されることになる。因みに、図４は法枠用型枠１の変形例を示したもので、上下の鉄筋位置決め用部材１８，１９の横線部ａの長さを、縦線部ｂ，ｃが鉄筋１０〜１３の挿入後に元の垂直状態に復帰可能な長さに設定するとともに、上方の鉄筋位置決め用部材１８に関しては、その縦線部ｂ，ｃの先端部に形成した前記係止部１４，１５に替えてより簡単な傾斜状の案内部２０，２１を採用したものである。なお、図示のように、前記縦筋４，５の下部の長さを縮小することも可能である。
【０００９】
図５及び図６は前記法枠用型枠１における鉄筋位置決め用部材８，９の挙動をより詳しく説明するための説明図である。図５は図２の状態に対応するものであり、図示のように鉄筋１０〜１３を縦線部ｂ，ｃの係止部１４〜１７の外部傾斜部に当接させた状態で、それらの縦線部ｂ，ｃと縦筋４，５との間の間隙部に押込むように押圧すると、その押圧力Ｆの外部傾斜部による分力Ｆａによって、縦線部ｂ，ｃはその根元の部分、すなわち横線部ａとの接続部ｄ，ｅないし横線部ａと縦筋４，５との固着部辺りを支点として外側へ変形し、この変形によって縦線部ｂ，ｃと縦筋４，５との間の間隙部が拡がることになる。この場合、鉄筋位置決め用部材８，９の縦線部ｂ，ｃは、横線部ａとの接続部ｄ，ｅからの長さＬを自由に設定し得ることから、縦線部ｂ，ｃと縦筋４，５との間の間隙部に対する十分な変形量を容易に確保することができる。しかも、縦線部ｂ，ｃの長さの効用により各部の変形量が抑えられることから、弾性変形内に納めることも容易である。因みに、縦筋４，５は、横筋２，３との固着部が近いことからあまり変形しない。
【００１０】
図６は図３の状態に対応するものであり、図示のように鉄筋１０〜１３の挿入後には、縦線部ｂ，ｃはその弾性復帰力Ｆｂによって鉄筋１０〜１３に当接するまで変形が戻るとともに、係止部１４〜１７の先端部が鉄筋１０〜１３の外周部に当接して離脱を防止する。この場合、鉄筋１０〜１３は、縦線部ｂ，ｃの弾性復帰力Ｆｂによって縦筋４，５側へ押圧されるとともに、外方への移動は係止部１４〜１７によって阻止されるので、的確な位置決めが可能である。
【図面の簡単な説明】
【００１１】
【図１】本発明に係る法枠用型枠の実施例を示した縦断面図である。
【図２】同実施例において鉄筋を設置する際の状態を示した縦断面図である。
【図３】同実施例の鉄筋設置後の状態を示した縦断面図である。
【図４】変形例を示した縦断面図である。
【図５】前記実施例における鉄筋位置決め用部材の挙動に関する説明図である。
【図６】同鉄筋位置決め用部材の挙動に関する説明図である。
【符号の説明】
【００１２】
１…法枠用型枠、２，３…横筋、４，５…縦筋、６，７…型枠板、８，９…鉄筋位置決め用部材、ａ…横線部、ｂ，ｃ…縦線部、１０〜１３…鉄筋、１４〜１７…係止部、１８，１９…鉄筋位置決め用部材、２０，２１…案内部
【図１】
2007092388.tif 000003
【図２】
2007092388.tif 000004
【図３】
2007092388.tif 000005
【図４】
2007092388.tif 000006
【図５】
2007092388.tif 000007
【図６】
2007092388.tif 000008